(57)【要約】【課題】比較的長い文字列情報からユーザが容易に選択できるように表示する「情報処理装置」の提供。【解決手段】上位から下位に至る階層構造を有する文字列情報の検索結果を表示部に表示する情報処理装置であって、階層構造を形成する各階層にそれぞれ対応する文字列の階層情報により形成される文字列情報を記憶する記憶部と、入力された入力情報に基づいて文字列情報を記憶部から検索する検索手段と、検索された検索結果の文字列情報が複数のときに、各文字列情報について最上位の階層から下位の階層に向けて共通する階層情報の有無を判定する共通階層情報判定手段と、階層情報が有りと判定されたときに、前記文字列情報のうち前記共通する階層情報を前記表示部の第１領域に表示し、前記共通する階層情報を除いた残りの階層情報を前記表示部の第２領域にリスト形式で表示する表示制御手段と、を有する構成による。【選択図】図２
2018005589.tif 000002
【特許請求の範囲】
【請求項１】
上位から下位に至る階層構造を有する文字列情報の検索結果を表示部に表示する情報処理装置であって、
前記階層構造を形成する各階層にそれぞれ対応する文字列の階層情報により形成される前記文字列情報を記憶する記憶部と、
入力された入力情報に基づいて前記文字列情報を前記記憶部から検索する検索手段と、
該検索手段により検索された検索結果の文字列情報が複数のときに、各文字列情報について最上位の階層から下位の階層に向けて共通する階層情報の有無を判定する共通階層情報判定手段と、
該共通階層情報判定手段により共通する階層情報が有りと判定されたときに、前記文字列情報のうち前記共通する階層情報を前記表示部の第１領域に表示し、前記共通する階層情報を除いた残りの階層情報を前記表示部の第２領域にリスト形式で表示する表示制御手段と、を有する情報処理装置。
【請求項２】
前記表示制御手段は、前記最上位の階層から連続して共通する階層情報を前記表示部の第１領域に表示し、前記最上位の階層から連続して共通する階層情報を除いた残りの階層情報を前記表示部の第２領域にリスト形式で表示する請求項１に記載の情報処理装置。
【請求項３】
前記入力情報を音声により入力する音声入力部を有し、
前記検索手段は、音声による入力情報を音声認識した認識結果の前記文字列情報を前記記憶部から検索する請求項１又は２に記載の情報処理装置。
【請求項４】
前記文字列情報は、前記階層情報毎に識別情報を付された住所表示情報から成る請求項１乃至３のいずれかに記載の情報処理装置。
【請求項５】
前記共通階層情報判定手段は、前記文字列情報を形成する階層情報に付された前記識別情報により前記共通する階層情報の有無を判定する請求項４に記載の情報処理装置。
【請求項６】
上位から下位に至る階層構造を有する文字列情報の検索結果を表示部に表示する情報処理装置の処理方法であって、
前記階層構造を形成する各階層にそれぞれ対応する文字列の階層情報により形成される前記文字列情報を記憶する記憶部から、入力された入力情報に基づいて前記文字列情報を検索する検索ステップと、
該検索ステップにより検索された検索結果の文字列情報が複数のときに、各文字列情報について最上位の階層から下位の階層に向けて共通する階層情報の有無を判定する共通階層情報判定ステップと、
該共通階層情報判定ステップにより共通する階層情報が有りと判定されたときに、前記文字列情報のうち前記共通する階層情報を前記表示部の第１領域に表示し、前記共通する階層情報を除いた階層情報を前記表示部の第２領域にリスト形式で表示する表示制御ステップと、を有する情報処理装置の処理方法。
【請求項７】
上位から下位に至る階層構造を有する文字列情報の検索結果を表示部に表示する情報処理装置における処理をコンピュータにて実行させるプログラムであって、
前記階層構造を形成する各階層にそれぞれ対応する文字列の階層情報により形成される前記文字列情報を記憶する記憶部から、入力された入力情報に基づいて前記文字列情報を検索する検索ステップと、
該検索ステップにより検索された検索結果の文字列情報が複数のときに、各文字列情報について最上位の階層から下位の階層に向けて共通する階層情報の有無を判定する共通階層情報判定ステップと、
該共通階層情報判定ステップにより共通する階層情報が有りと判定されたときに、前記文字列情報のうち前記共通する階層情報を前記表示部の第１領域に表示し、前記共通する階層情報を除いた階層情報を前記表示部の第２領域にリスト形式で表示する表示制御ステップと、を前記コンピュータに実行させるプログラム。
【発明の詳細な説明】
【技術分野】
【０００１】
本発明は、上位から下位に至る階層構造を有する文字列情報の検索結果を表示部に表示する情報処理装置及び該情報処理装置の処理方法並びに前記情報処理装置での処理をコンピュータにて実行させるプログラムに関する。
【背景技術】
【０００２】
経路案内機能を有する車載装置等の情報処理装置では、例えばタッチパネル等による操作部からの情報入力の他に、運転操作の円滑を図るべく音声による情報入力が導入されている。上記車載装置に実装されている音声認識機能では、入力された音声の認識結果が複数候補あるときに、表示画面上にリスト形式で表示してユーザが該当するものを選択できるようにしている。
【０００３】
ところで、図５Ａに示すリスト形式表示のように、所定の住所入力等の比較的長い発話の場合では、音声入力の認識結果の文字列が長くなり、表示部１０１に表示した文字列の最後部の表示が困難となり、検索結果の選択が不可能となる場合がある。例えばユーザが音声によりマイクロフォン等から「北海道札幌市中央区北４条西１７丁目１９の１６」と入力したときに、音声認識機能による認識結果が「北海道札幌市中央区北４条西１７丁目１９の１６」と「北海道札幌市中央区北４条西１７丁目１９の１８」の２件となったとき、これらの相違点である最後部が表示部１０１の画面から外れてしまい、ユーザの選択が困難となる。一方、図５Ｂに示すように、認識結果の全体を表示部１０１の画面上に表示すべく自動で文字サイズを調整することもできるが、文字サイズが小さ過ぎて運転操作中の乗員には識別し難く選択が容易ではない。
【０００４】
上記のようにリスト形式で表示する文字列等が長い場合に、ユーザが所望の表示を容易に選択できるナビゲーション装置及び表示方法が開示されている（例えば、特許文献１参照）。
【先行技術文献】
【特許文献】
【０００５】
【特許文献１】特開２００５−５５２６１号公報
【発明の概要】
【発明が解決しようとする課題】
【０００６】
上記特許文献１に記載のナビゲーション装置では、例えば図５Ｃに示すように、施設検索の検索結果が「株式会社エービーシー○○店」、「株式会社エービーシー△△店」及び「株式会社エービーシー××店」であるとき、検索結果の共通部である「株式会社エービーシー」を表示部１０２の第１領域１０２ａに表示し、共通部以外の「○○店」、「△△店」及び「××店」を第２領域１０２ｂにリスト形式で表示することで識別が容易となり、ユーザの選択も容易にすることができる。
【０００７】
しかしながら、特許文献１のナビゲーション装置では、上記のように先頭の規定文字数部分が同じ名称の施設名が複数検索された際に、前記施設名の先頭の同じ名称部分を第１領域１０２ａに、それ以外を第２領域１０２ｂに表示するので、例えば、住所の表示に適用すると、「神奈川県横浜市・・・」と「神奈川県横須賀市・・・」とあるときに、図５Ｄに示すように、第１領域１０２ａに共通部分の「神奈川県横」が表示され、第２領域１０２ｂに共通部分以外の「浜市中区○○町２−５−３」、「須賀市○△町３−４−１」及び「須賀市○×町２−３−２」がリスト形式で表示されることとなり、住所表示を途中の不自然な位置で区切ることからユーザによる選択が難しいものとなる。
【０００８】
本発明は、複数の比較的長い文字列情報をユーザが容易に選択できるようにリスト表示する情報処理装置及び該情報処理装置の処理方法並びに前記情報処理装置での処理をコンピュータにて実行させるプログラムの提供を目的とする。
【課題を解決するための手段】
【０００９】
上記課題を解決するために、本発明に係る情報処理装置は、上位から下位に至る階層構造を有する文字列情報の検索結果を表示部に表示する情報処理装置であって、前記階層構造を形成する各階層にそれぞれ対応する文字列の階層情報により形成される前記文字列情報を記憶する記憶部と、入力された入力情報に基づいて前記文字列情報を前記記憶部から検索する検索手段と、該検索手段により検索された検索結果の文字列情報が複数のときに、各文字列情報について最上位の階層から下位の階層に向けて共通する階層情報の有無を判定する共通階層情報判定手段と、該共通階層情報判定手段により共通する階層情報が有りと判定されたときに、前記文字列情報のうち前記共通する階層情報を前記表示部の第１領域に表示し、前記共通する階層情報を除いた残りの階層情報を前記表示部の第２領域にリスト形式で表示する表示制御手段と、を有する構成である。
【００１０】
このような構成によれば、検索結果の文字列情報が複数あるときに、共通する階層情報を表示部の第１領域に表示し、共通する階層情報を除いた残りの階層情報を表示部の第２領域にリスト形式で表示するので、文字列情報が比較的長い場合でも、相違する部分である、第２領域のリスト表示された階層情報から選択することが可能となる。
【００１１】
本発明に係る情報処理装置において、前記表示制御手段は、前記最上位の階層から連続して共通する階層情報を前記表示部の第１領域に表示し、前記最上位の階層から連続して共通する階層情報を除いた残りの階層情報を前記表示部の第２領域にリスト形式で表示する構成とすることができる。
【００１２】
このような構成によれば、検索結果としての文字列情報が複数あるときに、最上位の階層から連続して共通する階層情報を表示部の第１領域に表示し、最上位の階層から連続して共通する階層情報を除いた残りの階層情報を前記表示部の第２領域にリスト形式で表示するので、第２領域表示からの選択が容易となる。
【００１３】
本発明に係る情報処理装置において、前記入力情報を音声により入力する音声入力部を有し、前記検索手段は、音声による入力情報を音声認識した認識結果の前記文字列情報を前記記憶部から検索する構成とすることができる。
【００１４】
このような構成によれば、音声による入力情報に基づく認識結果の前記文字列情報を検索結果として表示部に表示する際に、共通する階層情報を第１領域に表示し、その他を第２領域にリスト形式で表示することで、比較的長い文字列情報であってもユーザは第２領域に表示された階層情報から適切に選択することができる。
【００１５】
本発明に係る情報処理装置において、前記文字列情報は、前記階層情報毎に識別情報を付された住所表示情報から成る構成とすることができる。さらに、前記共通階層情報判定手段は、前記文字列情報を形成する階層情報に付された前記識別情報により前記共通する階層情報の有無を判定する構成とすることができる。
【００１６】
このような構成によれば、文字列情報が階層情報毎に識別情報を付された住所表示情報から成るので、例えば、都道府県等の最上位から次の市町村までの階層情報が共通するときは、これらの識別情報が共通することから容易に判別できるので、共通する階層情報（上位階層の住所表記）を第１領域に表示し、その他（下位の住所表記）を第２領域にリスト形式で表示することで、比較的長い文字列情報の住所表示情報であってもユーザは第２領域から適切に選択することができる。
【００１７】
更に本発明に係る情報処理装置の処理方法は、上位から下位に至る階層構造を有する文字列情報の検索結果を表示部に表示する情報処理方法であって、前記階層構造を形成する各階層にそれぞれ対応する文字列の階層情報により形成される前記文字列情報を記憶する記憶部から、入力された入力情報に基づいて前記文字列情報を検索する検索ステップと、該検索ステップにより検索された検索結果の文字列情報が複数のときに、各文字列情報について最上位の階層から下位の階層に向けて共通する階層情報の有無を判定する共通階層情報判定ステップと、該共通階層情報判定ステップにより共通する階層情報が有りと判定されたときに、前記文字列情報のうち前記共通する階層情報を前記表示部の第１領域に表示し、前記共通する階層情報を除いた階層情報を前記表示部の第２領域にリスト形式で表示する表示制御ステップと、を有する構成である。
【００１８】
更に、本発明に係るプログラムは、上位から下位に至る階層構造を有する文字列情報の検索結果を表示部に表示する情報処理装置における処理をコンピュータにて実行させるプログラムであって、前記階層構造を形成する各階層にそれぞれ対応する文字列の階層情報により形成される前記文字列情報を記憶する記憶部から、入力された入力情報に基づいて前記文字列情報を検索する検索ステップと、該検索ステップにより検索された検索結果の文字列情報が複数のときに、各文字列情報について最上位の階層から下位の階層に向けて共通する階層情報の有無を判定する共通階層情報判定ステップと、該共通階層情報判定ステップにより共通する階層情報が有りと判定されたときに、前記文字列情報のうち前記共通する階層情報を前記表示部の第１領域に表示し、前記共通する階層情報を除いた階層情報を前記表示部の第２領域にリスト形式で表示する表示制御ステップと、を前記コンピュータに実行させる構成となる。
【発明の効果】
【００１９】
本発明によれば、検索結果の文字列情報が複数あるときに、共通する階層情報を表示部の第１領域に表示し、共通する階層情報を除いた残りの階層情報を表示部の第２領域にリスト形式で表示するので、文字列情報が比較的長い場合でも、相違する部分である、第２領域のリスト表示された階層情報から所望の文字列情報を選択することが可能となる。
【図面の簡単な説明】
【００２０】
【図１】図１は、本発明の実施の形態に係る情報処理装置としての車載機器の構成を示すブロック図である。
【図２】図２は、本発明の実施の形態に係る情報処理装置としての車載機器の処理ユニットによる処理手順を示すフローチャートである。
【図３Ａ】図３Ａは、本発明の実施の形態に係る情報処理装置としての車載機器のよる認識結果（検索結果）を表示部に表示した画面図（その１）。
【図３Ｂ】図３Ｂは、本発明の実施の形態に係る情報処理装置としての車載機器のよる認識結果（検索結果）を表示部に表示した画面図（その２）。
【図３Ｃ】図３Ｃは、本発明の実施の形態に係る情報処理装置としての車載機器のよる認識結果（検索結果）を表示部に表示した画面図（その３）。
【図３Ｄ】図３Ｄは、図３Ｂは、本発明の実施の形態に係る情報処理装置としての車載機器のよる認識結果（検索結果）を表示部に表示した画面図（その２）。のよる認識結果（検索結果）を表示部に表示した画面図（その４）。
【図４Ａ】図４Ａは、本発明の実施の形態に係る情報処理装置としての車載機器により認識された認識結果の一覧を示す概略図である（その１）。
【図４Ｂ】図４Ｂは、本発明の実施の形態に係る情報処理装置としての車載機器により認識された認識結果の一覧を示す概略図である（その２）。
【図４Ｃ】図４Ｃは、本発明の実施の形態に係る情報処理装置としての車載機器により認識された認識結果の一覧を示す概略図である（その３）。
【図５Ａ】図５Ａは、従来の車載機器における認識結果を表示部に表示した画面図である（その１）。
【図５Ｂ】図５Ｂは、従来の車載機器における認識結果を表示部に表示した画面図である（その２）。
【図５Ｃ】図５Ｃは、従来の車載機器における認識結果を表示部に表示した画面図である（その３）。
【図５Ｄ】図５Ｄは、従来の車載機器における認識結果を表示部に表示した画面図である（その４）。
【発明を実施するための形態】
【００２１】
本発明の実施の形態について図面を用いて説明する。
【００２２】
図１は、本発明の実施の形態に係る情報処理装置としてのナビゲーション機能付き車載機器の構成を示すブロック図である。
【００２３】
図１において、車両（不図示）に搭載される車載機器１１は、コンピュータユニット（例えば、ＣＰＵ、ＲＯＭ、ＲＡＭ、Ｉ／Ｏインターフェース及びバス等）によって構成される処理ユニット１２を有する。処理ユニット１２には、各種音源及び映像源（例えば、ＣＤ及びＤＶＤ）の再生処理が可能なＡＶユニット１５及び自車両のナビゲーションが可能なナビゲーションユニット１６（ＧＰＳ受信機器、ジャイロセンサ、加速度センサ等）が接続されている。また、処理ユニット１２には、マイクロフォン１７及びスピーカ１８が音声処理部１９を介して接続されている。これによって、ＡＶユニット１５及びナビゲーションユニット１６による処理に係る音声信号が音声処理部１９を介してスピーカ１８から音声として出力可能となり、さらにマイクロフォン１７により集音したユーザの音声が音声処理部１９を介して音声情報として処理ユニット１２へ入力が可能となっている。加えて、処理ユニット１２には、上位から下位に至る階層毎に識別情報が付与されて成る文字列情報の住所表示情報、更にＡＶユニット１５及びナビゲーションユニット１７において利用する楽曲情報及び地図情報等の各種情報を記憶可能な記憶部２０（例えば、ハードディスク、フラッシュメモリ等）と、ＬＣＤ等によって構成される各種処理に伴う映像等を表示する表示部２１と、表示部２１上にタッチパネル形式にて形成される各種処理に必要な指示が入力可能な操作部２３とが接続されている。なお、操作部２３は、上記タッチパネル形式のソフトキーに替えて、押し釦形式のハードキーとすることができる。また、タッチパネル形式及び押し釦形式等の双方を操作部２３として使用することもできる。
【００２４】
上記した車載機器１１では、例えば、図２に示すような手順で処理（検索処理等）がなされる。なお、図２の手順の説明では、図１の車載機器の構成を示すブロック図を適宜参照する。
【００２５】
図２において、処理ユニット１２は、ユーザである車両の乗員の入力音声をマイクロフォン１７で集音し、音声処理部１９で音声情報に変換させた入力情報を取得する（Ｓ１１）。音声処理部１９は、マイクロフォン１７で集音したアナログ情報をデジタル情報に変換し、処理ユニット１２はデジタル情報としての音声の入力情報を取得し、記憶部２０に記憶する。なお、本実施形態における音声の入力情報は、具体例として住所表示情報としている。
【００２６】
処理ユニット１２は、入力情報として記憶部２０に記憶された音声情報の住所表示情報と、記憶部２０に記憶されている、上位から下位に至る階層構造で、階層毎に識別情報を有する文字列の階層情報から成る住所表示情報の集合（辞書）に記録されている個々の住所表示情報とを比較し、前記住所表示情報の集合（辞書）から候補となる認識結果を求める音声認識処理を行う（Ｓ１２）。
【００２７】
ユーザである車両の乗員がマイクロフォン１７から、例えば「北海道札幌市中央区北４条西１７丁目１９の１６」と音声入力したときに、この入力音声を音声処理部１９でデジタル情報に変換した音声の入力情報と、記憶部２０に記憶されている上記住所表示情報の集合（辞書）内の個々の住所表示情報とを比較し、候補となる認識結果を求める認識処理を行う。比較は、上位から下位に至る階層構造の住所表示情報を構成する階層情報毎に比較し、候補となる住所表示情報を住所表示情報の集合（辞書）から取得する（Ｓ１３）。
【００２８】
上記した音声の入力情報に対する処理ユニット１２による認識結果の一例を図４Ａに示す。図４Ａにおいては、上位から下位に至る階層構造の住所表示情報を、階層情報毎に比較して候補となる２個の住所表示情報が認識結果として取得された（Ｓ１３）。なお、認識結果の住所表示情報には、全体としての識別情報（認識結果ＩＤ）の他に、階層情報毎の符号で示す識別情報（階層ＩＤ）とを含んでいる。後述する共通する階層の有無の判定は、上記階層毎の識別情報（階層ＩＤ）の一致不一致で行われる。図４Ａの認識結果の候補１（認識結果ＩＤ／ＫＫ○○○）として「『北海道／Ｈ○○』、『札幌市／Ｓ○○』、『中央区／Ｃ○○』、『北４条西／Ｋ○○』、『１７丁目１９−１６／Ｔ○○○』」が抽出され、候補２（認識結果ＩＤ／ＫＫ○１１）として「『北海道／Ｈ○○』、『札幌市／Ｓ○○』、『中央区／Ｃ○○』、『北４条西／Ｋ○○』、『１７丁目１９−１８／Ｔ○１１』」が抽出された。上記した音声入力が「北海道札幌市中央区北４条西１７丁目１９の１６」であるのに対して認識結果の候補が上記のように２個存在するのは、例えば音声入力には乗員の音声入力以外に周囲の音声等も含まれることから、比較による認識結果の候補が単一とならずに複数となったものである。後述するように、乗員が複数の候補に対して自己が音声入力したものと同一のものを選択することができる。
【００２９】
処理ユニット１２は、認識結果の候補が複数有るか否かの判定を行い（Ｓ１４）、複数有ると判定したときは（Ｓ１４のＹＥＳ）、各認識結果の最上位階層からの階層が共通であるか否かを判定する（Ｓ１５：共通階層情報判定手段）。例えば、図４Ａの認識結果においては、２つの認識結果とも、最上位の第１番目の階層（都道府県）が「北海道／Ｈ○○」、第２番目の階層（市郡）が「札幌市／Ｓ○○」、第３番目の階層（区町村）が「中央区／Ｃ○○」、第４番目の階層（大字、名称等）が「北４条西」で共通となり、第５番目の階層（番地等）が相違する。処理ユニット１２（共通階層情報判定手段）は、階層情報に付された識別情報である階層ＩＤ（Ｈ○○等）が同一か否かにより共通か否かを判定している。
【００３０】
処理ユニット１２は、複数の認識結果（住所表示情報）について、最上位階層からの階層情報に共通があると判定したときは（Ｓ１５のＹＥＳ）、共通の階層情報を表示部２１の第１領域に表示し、共通でない階層情報を表示部２１の第２領域にリスト形式で表示する（Ｓ１６）。図３Ａに示すように、表示部２１の第１領域２１ａには、共通の階層情報である「北海道札幌市中央区北４条西」が表示され、表示部２１の第２領域２１ｂには、上記した共通の階層情報を除いた、異なる階層情報である「番地等」が、「１」から始まる候補順の数値を先頭に付して、「１．１７丁目１９−１６」及び「２．１７丁目−１９−１８」がリスト形式に表示される。なお、第１領域２１ａでは共通の階層情報であることを強調するために、「北海道札幌市中央区北４条西」を四角枠内に表示しているが、他の強調表示であってもよい（例えば、着色表示、太字表示等）。
【００３１】
乗員は、第２領域２１ｂでリスト形式に表示されたものから、自己が音声入力したものと同一の「１．１７丁目１９−１６」を選択することができる（Ｓ１７）。なお、乗員は、候補順に設けた数字を音声入力（数字「１」を音声で入力）することで選択できる。一方、認識結果が複数でない場合や（Ｓ１４のＮＯ）、認識結果が複数ある場合でも最上位階層情報から共通でない場合には、第１、第２領域に分けずにそのまま認識結果を表示する（Ｓ１８）。乗員が認識結果を容認することで、当該認識結果に基づいた処理が実行される（Ｓ１９）。
【００３２】
このように、認識結果である２個の住所表示情報について、従来のようにそのまま検索結果の全体をリスト形式で表示するのではなく、共通する階層情報を第１領域２１ａに表示し、相違する階層情報を第２領域２１ｂにリスト形式に表示するので、住所表示情報の全体を識別可能な適切なサイズでかつ相違部分が容易に把握できるように表示することができ、走行運転中の乗員にとって比較が容易であり、的確な選択が可能となる。また、各階層の階層情報毎に階層ＩＤを基にして共通か否かを判定するので、従来のような住所表示情報が「神奈川県横浜市中区・・・」及び「神奈川県横須賀市中央・・」のときに、共通部として「神奈川県横」との表示をすることがない。
【００３３】
また、音声入力された住所表示情報の認識結果が、図４Ｂに示すように、候補が１〜４となるときに、最上位の階層から共通する階層情報は、最上位の第１番目の階層（都道府県）が「北海道／Ｈ○○」、第２番目の階層（市郡）が「札幌市／Ｓ○○」、第３番目の階層（区町村）が「中央区／Ｃ○○」となり、第４番目の階層（大字、名称等）及び第５番目の階層（番地等）が相違している。この場合には、図３Ｂに示すように、表示部２１の第１領域２１ａには、共通の階層情報である「北海道札幌市中央区」が表示され、表示部２１の第２領域２１ｂには、上記した共通の階層情報を除いた、異なる階層情報である「大字、名称等」及び「番地等」が、「１」から始まる候補順の数値を先頭に付して、「１．北４条西１７丁目１９−１６」、「２．北４条西１７丁目−１９−１８」、「３．北５条西１７丁目１３−１６」及び「４．北５条西１７丁目１３−２６」がリスト形式に表示される。乗員は、相違する階層情報をリスト形式で表示されるので、音声入力した住所表示と同一の候補「１」を容易かつ的確に選択することができる。
【００３４】
また、音声入力された住所表示情報の認識結果が、図４Ｃに示すように、候補が１〜３となるときに、最上位の階層から共通する階層情報は、最上位の第１番目の階層（都道府県）が「北海道／Ｈ○○」、第２番目の階層（市郡）が「札幌市／Ｓ○○」となり、第３番目の階層（区町村）、第４番目の階層（大字、名称等）及び第５番目の階層（番地等）が相違している。この場合には、図３Ｃに示すように、表示部２１の第１領域２１ａには、共通の階層情報である「北海道札幌市」が表示され、表示部２１の第２領域２１ｂには、上記した共通の階層情報を除いた、異なる階層情報である「区町村」、「大字、名称等」及び「番地等」が、「１」から始まる候補順の数値を先頭に付して、「１．中央区北４条西１７丁目１９−１６」、「２．中央区北４条西１７丁目１９−１８」及び「３．東区北４条西１１丁目１９−１６」がリスト形式に表示される。乗員は、相違する階層情報をリスト形式で表示されるので、音声入力した住所表示と同一の候補「１」を容易かつ的確に選択することができる。
【００３５】
なお、図３Ｄに示すように、音声認識において、これまでの処理によって既に「北海道札幌市」までが確定しており、「札幌市」よりさらに下位の住所を音声認識した結果、共通する階層情報が「中央区北４条西」であるときは、第１領域２１ａには、今回の音声認識で共通する階層情報の「中央区北４条西」が、既に確定している「北海道札幌市」の次に表示されることになる。このとき、既に確定している「北海道札幌市」との区別をするために、「中央区北４条西」についてのみ強調表示の四角枠内に表示した。なお、既に確定している「北海道札幌市」については文字サイズを小さくすることで区別をしている。
【００３６】
上記したように、本実施形態によれば、上位から下位に至る階層構造を有する文字列情報である住所表示情報を表示画面にリスト形式で表示する際に、最上位の階層からの共通する階層情報が有るときは、共通の階層情報を第１領域に表示し、異なる階層情報を第２領域にリスト形式で表示するので、ユーザである乗員は、リスト形式で表示されたものから最適のものを容易に選択することができる。
【００３７】
上記したように、本実施形態では音声による住所表示情報の入力を音声認識した認識結果のリスト形式の表示に工夫を設けたものであるが、住所表示情報に限定するものではなく、また音声による入力情報の認識に限定するものでもない。表示部にリスト形式で表示するものが、上位から下位に至る階層構造のものであれば、共通する階層情報を第１領域に表示し、相違する階層情報を第２領域にリスト形式で表示することで、ユーザの識別と選択とを容易にするものである。例えば、楽曲の検索結果として、上位から下位に至る階層構造（楽曲のジャンル、分野、歌手、アルバム、個別楽曲等）で表示するときに、上位から共通する階層情報があるときは、共通する階層情報を第１領域に表示し、相違する階層情報を第２領域にリスト形式で表示することができる。
【００３８】
なお、上位から下位に至る階層構造のもので、中位のみで共通の階層があってもこれを第１領域に表示しない。最上位から連続して共通する階層情報を第１領域に表示することが好ましい。例えば、「神奈川県横浜市西区○○町・・・」と「大阪府大阪市西区△△町・・・」との住所表示の際に、中間位置に共通の「西区」があっても上位の「神奈川県横浜市」と「大阪府大阪市」が相違するので、第１領域に表示する共通の階層情報はなく、第２領域にそのままリスト形式で表示することになる。本実施形態に係る車載機器では、最上位の階層から共通する階層情報が有るときに、共通の階層情報を第１領域に表示し、異なる階層情報を第２領域にリスト形式で表示することで、ユーザがリスト形式で表示されたものから最適のものを容易に選択することができるからである。
【産業上の利用可能性】
【００３９】
以上、説明したように、本発明によれば、検索結果の文字列情報が複数あるときに、最上位からの共通する階層情報を表示部の第１領域に表示し、共通する階層情報を除いた残りの階層情報を表示部の第２領域にリスト形式で表示するので、文字列情報が比較的長い場合でも、相違する部分である、第２領域のリスト表示された階層情報から所望の文字列情報を選択することが可能となるという効果を奏するので、上位から下位に至る階層構造を有する文字列情報の検索結果を表示部に表示する情報処理装置及び該情報処理装置の処理方法並びに前記情報処理装置での処理をコンピュータにて実行させるプログラムとして有用である。
【符号の説明】
【００４０】
１１    車載機器
１２    処理ユニット
１５    ＡＶユニット
１６    ナビゲーションユニット
１７    マイクロフォン
１８    スピーカ
１９    音声処理部
２０    記憶部
２１    表示部
２３    操作部
【図１】
2018005589.tif 000003
【図２】
2018005589.tif 000004
【図３Ａ】
2018005589.tif 000005
【図３Ｂ】
2018005589.tif 000006
【図３Ｃ】
2018005589.tif 000007
【図３Ｄ】
2018005589.tif 000008
【図４Ａ】
2018005589.tif 000009
【図４Ｂ】
2018005589.tif 000010
【図４Ｃ】
2018005589.tif 000011
【図５Ａ】
2018005589.tif 000012
【図５Ｂ】
2018005589.tif 000013
【図５Ｃ】
2018005589.tif 000014
【図５Ｄ】
2018005589.tif 000015